(57)【要約】【課題】適切な方向を向けて赤外線通信可能とするカラオケ用リモコン装置を提供することを目的とする。【解決手段】本発明に係るカラオケ用リモコン装置は、検知部が検知した筐体の姿勢に従って、映像の上下方向を決定して表示させる指示を表示部に送る表示方向変更処理と、筐体または表示部の予め定められた上下方向に従って、映像の上下方向を決定して表示させる指示を送る表示方向規制処理と、を実行し、赤外線通信部による通信を実行する所定の処理の実行が指示された場合、表示方向規制処理が実行されることを特徴とする。【選択図】図１
2018106040.tif 000002
【特許請求の範囲】
【請求項１】
筐体の前面に備えられ、制御部の制御に基づいて映像を表示する表示部と、
前記筐体の背面に備えられ、前記表示部と交差する方向に赤外線を送信する赤外線通信部と、
前記筐体の姿勢を検知する検知部と、を備え、
前記制御部は、
前記検知部が検知した前記筐体の姿勢に従って、前記映像の上下方向を決定して表示させる指示を前記表示部に送る表示方向変更処理と、
前記筐体または前記表示部の予め定められた上下方向に従って、前記映像の上下方向を決定して表示させる指示を送る表示方向規制処理と、を実行し、
前記赤外線通信部による通信を実行する所定の処理の実行が指示された場合、前記表示方向規制処理が実行されることを特徴とする
カラオケ用リモコン装置。
【請求項２】
前記所定の処理は、前記赤外線通信部を介して、前記カラオケ用リモコン装置の識別情報を前記カラオケ装置に送信する対応付け処理であることを特徴とする
請求項１に記載のカラオケ用リモコン装置。
【請求項３】
前記所定の処理は、前記赤外線通信部を介して、楽曲の識別情報を前記カラオケ装置に送信する選曲処理であることを特徴とする
請求項１または請求項２に記載のカラオケ用リモコン装置。
【請求項４】
ＬＡＮネットワーク通信により前記カラオケ装置と通信するネットワーク通信部を備え、
前記赤外線通信部を介して、前記カラオケ用リモコン装置の識別情報を前記カラオケ装置に送信する対応付け処理が実行された後、楽曲の識別情報を前記カラオケ装置に送信する第２選曲処理が実行される場合、前記第２選曲処理は前記ネットワーク通信部を介して実行され、かつ、前記表示方向変更処理が実行されることを特徴とする
請求項３に記載のカラオケ用リモコン装置。
【請求項５】
前記検知部が検知した前記筐体の姿勢と、前記映像の上下方向とが一致したと判断した場合、前記赤外線通信部による通信を開始することを特徴とする
請求項１から請求項４の何れか１項に記載のカラオケ用リモコン装置。
【発明の詳細な説明】
【技術分野】
【０００１】
本発明は、楽曲を演奏するカラオケ装置に対して選曲等を行うことのできるカラオケ用リモコン装置に関する。
【背景技術】
【０００２】
現在、カラオケボックスやスナック等のナイト店で利用されるカラオケ装置は、選曲等、ユーザの手元で操作する手段としてリモコン装置が使用されることが一般的である。カラオケ装置とリモコン装置は、無線環境下でお互いに対応付けられることで、カラオケボックスのように複数のカラオケ装置が利用される環境下においても適切に利用することが可能である。
【０００３】
特許文献１には、カラオケボックス等において、任意のカラオケ装置と適宜対応付けが可能な電子早見本装置（以下、リモコン装置という。）が開示されている。この特許文献１に開示されるリモコン装置では、所定の接続通知を赤外線によりカラオケ装置へ送信し、接続通知に応じて電波によりカラオケ装置から返信される識別通知に基づいてカラオケ装置との対応付けが行われている。対応付けられたリモコン装置とカラオケ装置との間では、無線ＬＡＮにより、選曲指令の送受信など、各種通信が行われることになる。
【先行技術文献】
【特許文献】
【０００４】
【特許文献１】特開２００６−７８７５９号公報
【発明の概要】
【発明が解決しようとする課題】
【０００５】
ところで、スマートホン、タブレット端末等、ユーザが携行できる各種情報処理装置は、ユーザが情報処理装置を所持する状態によって、情報処理装置に表示される表示映像の向きを変更し、ユーザの所持状態によらず、見やすい表示映像を提供することが行われている。このような機能は、情報処理装置に設けられた重力センサ、あるいは、加速度センサを使用して、情報処理装置の状態検出を行うことで実行可能である。
【０００６】
特許文献１に開示されるリモコン装置についても、このような向き変更機能を設け、ユーザにとって見やすい表示映像を提供することが考えられる。特許文献１に開示されるリモコン装置では、カラオケ装置との対応付けを行うためのリモコン送信部は、赤外線を使用した通信手段である。赤外線を使用した通信手段は、広範な指向性を有していないこと、障害物の影響を受けやすいことを理由として、適切な方向、すなわち、送信対象となるカラオケ装置の方向を向ける必要がある。しかしながら、スマートホン等のような向き変更機能を設けた場合、表示映像の向きは所持状態によって変化するため、リモコン送信部の方向は必ずしも適切な方向を向くとは限らない。したがって、赤外線を使用したリモコン送信部をカラオケ装置に向けた適切な状態で、対応付けを行うことができない場合が考えられる。
【０００７】
このような特許文献１に開示されるカラオケ装置とリモコン装置の対応付けのみならず、赤外線を使用した通信手段は、例えば、無線ＬＡＮ等、電波を使用する無線通信に不具合が生じた場合、緊急措置として、カラオケ装置との通信に使用される場合がある。したがって、選曲指示など、カラオケを行うにあたって最低限必要な機能を、この赤外線を使用する通信手段で代用することが可能である。その場合においても、表示映像の向き変更機能を採用した場合、赤外線を使用する通信手段を適切にカラオケ装置に向けられない状況が発生することが考えられる。
【課題を解決するための手段】
【０００８】
そのため、本発明に係るカラオケ用リモコン装置は以下の構成を採用するものである。筐体の前面に備えられ、制御部の制御に基づいて映像を表示する表示部と、前記筐体の背面に備えられ、前記表示部と交差する方向に赤外線を送信する赤外線通信部と、前記筐体の姿勢を検知する検知部と、を備え、前記制御部は、前記検知部が検知した前記筐体の姿勢に従って、前記映像の上下方向を決定して表示させる指示を前記表示部に送る表示方向変更処理と、前記筐体または前記表示部の予め定められた上下方向に従って、前記映像の上下方向を決定して表示させる指示を送る表示方向規制処理と、を実行し、前記赤外線通信部による通信を実行する所定の処理の実行が指示された場合、前記表示方向規制処理が実行されることを特徴とする。
【０００９】
さらに本発明に係るカラオケ用リモコン装置において、前記所定の処理は、前記赤外線通信部を介して、前記カラオケ用リモコン装置の識別情報を前記カラオケ装置に送信する対応付け処理であることを特徴とする。
【００１０】
前記所定の処理は、前記赤外線通信部を介して、楽曲の識別情報を前記カラオケ装置に送信する選曲処理であることを特徴とする。
【００１１】
さらに本発明に係るカラオケ用リモコン装置は、ＬＡＮネットワーク通信により前記カラオケ装置と通信するネットワーク通信部を備え、前記赤外線通信部を介して、前記カラオケ用リモコン装置の識別情報を前記カラオケ装置に送信する対応付け処理が実行された後、楽曲の識別情報を前記カラオケ装置に送信する第２選曲処理が実行される場合、前記第２選曲処理は前記ネットワーク通信部を介して実行され、かつ、前記表示方向変更処理が実行されることを特徴とする。
【００１２】
さらに本発明に係るカラオケ用リモコン装置は、前記検知部が検知した前記筐体の姿勢と、前記映像の上下方向とが一致したと判断した場合、前記赤外線通信部による通信を開始することを特徴とする。
【発明の効果】
【００１３】
本発明に係るカラオケ用リモコン装置によれば、検知部が検知した筐体の姿勢に従って、映像の上下方向を決定して表示させる指示を表示部に送る表示方向変更処理を行うことで、筐体に向かうユーザに対して適切な方向で表示部に映像を表示させることが可能となる。その際、赤外線通信部による所定の処理を実行する場合、筐体または表示部の予め定められた上下方向に従って、映像の上下方向を決定して表示させる指示を送る表示方向規制処理を実行することで、筐体を適切な方向に向けた赤外線通信を行うことが可能となる。
【００１４】
さらに本発明に係るカラオケ用リモコン装置では、所定の処理は、カラオケ用リモコン装置とカラオケ装置とを対応付ける対応付け処理としている。このように対応付け処理が実行される際、表示方向制御処理で、表示映像の向きを切り替えることで、赤外線通信部をカラオケ装置に対して適切な方向に向けさせ、赤外線を使用する対応付け処理を適切に行うことが可能となる。
【００１５】
さらに本発明に係るカラオケ用リモコン装置では、赤外線通信部を使用する所定の処理は、楽曲の識別情報をカラオケ装置に送信する選曲処理としている。このように選曲処理が実行される際、表示方向変更処理で、表示映像の向きを切り替えることで、赤外線通信部をカラオケ装置に対して適切な方向に向けさせ、赤外線を使用する選曲処理を適切に行わせることが可能となる。
【００１６】
さらに本発明に係るカラオケ用リモコン装置において、検知部が検知した筐体の姿勢と、映像の上下方向が一致した場合、赤外線通信部による通信を開始することとしている。このような構成により、所定の処理を行う際、より的確に、赤外線通信部をカラオケ装置に対して適切な方向に向けさせ、赤外線通信を適切に行わせることが可能となる。
【図面の簡単な説明】
【００１７】
【図１】本実施形態のカラオケシステムを示す図
【図２】本実施形態のリモコン装置の正面斜視図
【図３】本実施形態のリモコン装置の背面斜視図
【図４】本実施形態のカラオケシステムにおける対応付け処理を示すフロー図
【図５】本実施形態のリモコン装置の載置形態を示す側面図
【図６】本実施形態のリモコン装置における対応付け処理を示すフロー図
【図７】対応付け処理時におけるタッチパネルの表示を示す図
【図８】本実施形態のリモコン装置の選曲処理を示すフロー図
【図９】他の実施形態のリモコン装置の載置形態を示す側面図
【発明を実施するための形態】
【００１８】
図１は、本実施形態のカラオケシステムの構成を示す図である。本実施形態におけるカラオケシステムは、カラオケ装置２（コマンダ）と、リモコン装置１を含んで構成されている。カラオケ装置２とリモコン装置１は、ＬＡＮ１００及びアクセスポイント１３０を利用してネットワークを形成するように接続されている。
【００１９】
カラオケボックスなどの店舗に設置されるカラオケ装置２は、楽曲を演奏するための演奏部として音響制御部２５を備えている。また、カラオケ装置２は、ユーザからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのハードディスク３２を備える。カラオケ装置２は、ＬＡＮ１００に接続してネットワークに加入する通信手段としてのＬＡＮ通信部２４を備えている。
【００２０】
また、カラオケ装置２は、モニター４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果の付与等を行う映像制御部３１を備えて構成される。
【００２１】
さらに、このカラオケ装置２では、外部に接続されるモニター４１以外に、タッチパネルモニター３３に対して各種情報を表示することを可能としている。タッチパネルモニター３３は映像制御部３１から入力された映像情報を表示する表示部３５と、タッチ入力された位置を操作処理部２２に出力するタッチパネル３４が重畳されて構成されている。このタッチパネルモニター３３は、カラオケ装置２の操作部２１、あるいは、リモコン装置１のタッチパネルモニター１１などと同様、入力部として機能する。ユーザは、タッチパネルモニター３３にて楽曲を選択することで、直接カラオケ装置２に予約させる等、カラオケ装置２に対する各種操作を行うことが可能である。
【００２２】
さらに、カラオケ装置２は、各構成を統括して制御するためのＣＰＵ３０、各種プログラムを実行するにあたって必要となる情報を一時記憶するためのＲＡＭ２７を含んだ制御部を備えて構成されている。
【００２３】
このような構成にてカラオケ装置２は、各種処理を実行することとなるが、カラオケ装置２の主な機能として、楽曲予約処理、楽曲再生処理などを実行可能としている。楽曲予約処理は、ユーザからの指定に基づいて楽曲を指定、予約するための処理であってリモコン装置１と連携して実行される。リモコン装置１の選曲処理で形成された予約情報は、カラオケ装置２に送信される。カラオケ装置２は、受信した予約情報をＲＡＭ２７中の予約テーブルに登録する。楽曲再生処理は、予約された楽曲を再生させる処理であって、楽曲演奏処理と歌詞表示処理とが同期して実行される処理である。
【００２４】
楽曲演奏処理は、楽曲情報に含まれる演奏情報に基づき、音響制御部２５に演奏を実行させる処理である。音響制御部２５にて演奏された楽曲は、マイクロホン４３ａ、４３ｂから入力される歌唱音声と一緒にスピーカー４２から放音される。歌詞表示処理は、楽曲情報に含まれる歌詞情報をモニター４１に表示させることで歌唱補助を行う処理である。
【００２５】
一方、リモコン装置１は、ユーザからの指示に基づいて楽曲を検索する検索処理と、再生指示のあった楽曲について予約情報をカラオケ装置２に送信する選曲処理を実行可能としている。また、リモコン装置１は、カラオケ装置２あるいはインターネット上に接続されたサーバー装置５から各種情報を受信し、各種処理を実行することが可能である。本実施形態では、ユーザから各種指示を受け付けるユーザインターフェイスとして、操作部１７と、タッチパネルモニター１１を備えている。タッチパネルモニター１１は、表示部１１ａとタッチパネル１１ｂを有して構成され、表示部１１ａに各種インターフェイスを表示するとともに、ユーザからのタッチ入力を受付可能としている。
【００２６】
さらにリモコン装置１は、選曲処理に必要とされるデータベース、各種プログラム等を記憶する不揮発性の記憶部としてのＮＡＮＤ型記憶部１４ａを備えている。そして、各種構成を統括して制御するためのリモコン側制御部を備えて構成される。リモコン側制御部には、ＣＰＵ１５、プログラム実行に伴って発生する各種情報を記憶するＲＡＭ１４ｂ、タッチパネルモニター１１に対して表示する映像を形成する映像制御部１３、表示する映像情報を一時的に蓄えるビデオＲＡＭ１２、タッチパネルモニター１１あるいは操作部１７からの入力を解釈してＣＰＵ１５に伝える操作処理部１８などが含まれている。
【００２７】
リモコン装置１は、ネットワーク通信部１６によって、アクセスポイント１３０と無線接続されることで、ＬＡＮ１００によって構成されるネットワークに接続される。なお、各リモコン装置１は、対応付け処理を実行することで特定のカラオケ装置２に対して事前に対応付けされている。リモコン装置１から出力される各種命令は、対応付けされたカラオケ装置２にて受信されることとなる。また、リモコン装置１は、赤外線通信部１９を備え、カラオケ装置２側に設けられた赤外線通信部２３と赤外線による無線通信を行うことが可能である。
【００２８】
また、リモコン装置１は、リモコン装置１の筐体の向く方向を検出するための加速度センサ２０（本発明の「検知部」に相当）を有している。本実施形態では、この加速度センサ２０を使用して重力方向を検出し、タッチパネルモニター１１に表示させる映像がユーザに対して適切な向きを向くように制御する表示方向変更処理を行うこととしている。なお、重力方向等、リモコン装置１の筐体の向く方向を検知する検知部としては、加速度センサ２０のみならず、各種センサを使用することが可能である。
【００２９】
このようなリモコン装置１の構成により、ユーザからの各種入力をタッチパネルモニター１１、あるいは、操作部１７から受付けるとともに、映像情報をタッチパネルモニター１１の表示により各種情報を提供することで、カラオケ装置２に対して出力する予約情報を送信する選曲処理など、各種処理を行うことが可能となっている。
【００３０】
図２は、本実施形態のリモコン装置１の正面斜視図であり、図３は、本実施形態のリモコン装置１の背面斜視図である。図２、図３は、水平面である載置面に載置したとき（第１載置状態）の様子であって、水平面をＺＸ平面、鉛直方向をＹ軸に取る座標系を設定し、リモコン装置１の横方向をＸ軸、奥行き方向をＺ軸に設定している。筐体６１の正面には、タッチパネルモニター１１が設けられている。また、筐体６１上部には、バッテリ状態等を表示するためのＬＥＤ６５が設けられている。また、筐体６１の背面には、赤外線通信部１９の赤外線を発射するための赤外線窓１９ａが設けられている。赤外線通信部１９から発射された赤外線は、この赤外線窓１９ａを通じて筐体６１の外部に発射される。赤外線窓１９ａは、赤外線を通過させる必要があるため、赤外線の周波数帯域を通過させる透明アクリル板等の素材が使用される。通常、赤外線窓１９ａの素材は筐体６１と異なるため、筐体６１上、ユーザの目の付き易い箇所に配置すると美観上の妨げとなることが考えられる。本実施形態では、筐体６１の背面に配置したことで、リモコン装置１の筐体６１の美観向上が図られている。
【００３１】
筐体６１は、その裏面に第１支持部６２Ｒ、６２Ｌ、第２支持部６３Ｒ、６３Ｌを有している。これら第１支持部６２Ｒ、６２Ｌ、第２支持部６３Ｒ、６３Ｌは、リモコン装置１を載置するための部材であって、本実施形態では、図２、図３のように第１支持部６２Ｒ、６２Ｌを使用してリモコン装置１を載置する第１載置状態、あるいは、第１支持部６２Ｒ、６２Ｌ、第２支持部６３Ｒ、６３Ｌの両方を使用してリモコン装置１を載置する第２載置状態で載置面に載置可能となっている。第１載置状態と第２載置状態では、タッチパネルモニター１１の角度が異なるため、ユーザは自分の好みの角度となるように何れかの載置状態を選択して使用することが可能となっている。
【００３２】
また、第１載置状態と第２載置状態では、タッチパネルモニター１１が反転するため、載置状態に応じてタッチパネルモニター１１に表示される映像を反転させることで、載置状態に応じた適切な映像をユーザに視認させることが可能となっている。本実施形態では、リモコン装置１に設けられた加速度センサ２０を使用して筐体６１の姿勢を検知し、載置状態に応じてタッチパネルモニター１１に表示される映像の上方向が、Ｙ軸正の方向となるように表示方向を変更する表示方向変更処理が実行することで、ユーザに対して適切な方向で表示された映像を視認させることとしている。
【００３３】
図４は、本実施形態のカラオケシステムにおける対応付け処理を示すフロー図である。前述したように、リモコン装置１はカラオケ装置２と通信上の対応付けを行う必要がある。例えば、カラオケボックス等の店舗では、来店した顧客は、店舗カウンターでリモコン装置１を受け取り、指示された部屋に入室する。入室の際、顧客あるいは従業員により対応付け処理が実行されることで、リモコン装置１と部屋に設置されたカラオケ装置２間で通信可能となり、リモコン装置１からカラオケ装置２に対する選曲等を行うことが可能となる。
【００３４】
本実施形態では、リモコン装置１は、ネットワーク通信部１６を使用した無線ＬＡＮによる通信で店舗内のＬＡＮに参加していることが前提となる。そのため、リモコン装置１は、ネットワーク通信部１６とアクセスポイント１３０間で無線ＬＡＮによる通信接続が確立した状態となっている。無線ＬＡＮによる通信接続は、図４に示すようにリモコン装置１からの接続要求に応じて、アクセスポイント１３０から接続許可が得られることで確立する。
【００３５】
対応付け処理では、まず、リモコン装置１の赤外線通信部１９からカラオケ装置２に対して、対応付け要求が送信される。なお、赤外線通信部１９から送信される赤外線は指向性を有するため、リモコン装置１の赤外線窓１９ａを、カラオケ装置２に向けておく必要がある。リモコン装置１から対応付け要求を受信したカラオケ装置２は、カラオケ装置２の識別情報を、アクセスポイント１３０を介してブロードキャストする。対応付け処理を実行中のリモコン装置１は、ブロードキャストされた識別情報を受信してＲＡＭ１４ｂ等の記憶部に記憶する。以後、リモコン装置１からカラオケ装置２に対して送信される選曲情報等、各種情報には、このカラオケ装置２の識別情報が含まれるため、ネットワーク内のカラオケ装置２は、自己の識別情報を含んだ情報を識別して受信することが可能となる。
【００３６】
以上が、カラオケシステムで実行される対応付け処理について説明したが、リモコン装置１から送信される対応付け要求は、赤外線を使用して行われるため、リモコン装置１の筐体を赤外線窓１９ａが適切な方向、すなわち、カラオケ装置２の方向に向ける必要がある。本実施形態のリモコン装置１は、第１支持部６２Ｒ、６２Ｌを使用してリモコン装置１を載置する第１載置状態、あるいは、第１支持部６２Ｒ、６２Ｌ、第２支持部６３Ｒ、６３Ｌの両方を使用してリモコン装置１を載置する第２載置状態で載置面に載置可能となっている。特に、第２載置状態では、赤外線窓１９ａが載置面を向くため、適切に対応付け要求をカラオケ装置２に送信できない可能性がある。
【００３７】
図５は、本実施形態のリモコン装置１の載置形態を示す側面図である。図に示す座標系は、図２、図３で使用した座標系と同様である。図５に示す側面図は、リモコン装置１をＸ軸正の方向から眺めた側面図であって、図５（Ａ）は、図２、図３と同様、第１支持部６２Ｒ、６２Ｌを使用して載置面Ａ上に起立する第１載置状態である。また、図５（Ｂ）は、第１支持部６２Ｒ、６２Ｌ、第２支持部６３Ｒ、６３Ｌの両方を使用して載置面Ａ上に起立する第２載置状態である。第１載置状態と第２載置状態では、載置面Ａに対するタッチパネルモニター１１の角度が異なることが分かる。第１載置状態では、タッチパネルモニター１１は載置面Ａに対して急峻な角度を有するのに対し、第２載置状態では載置面Ａに対して緩やかな角度となっている。ユーザはタッチパネルモニター１１が好みの角度となるように、第１載置状態あるいは第２載置状態を選択して使用することが可能である。その際、第１載置状態と第２載置状態では、タッチパネルモニター１１の上下方向は、ユーザに対して反転することになる。そのため、本実施形態では、加速度センサ２０を使用して、筐体６１の重力方向に対する姿勢を検知し、載置状態に応じてタッチパネルモニター１１に表示される映像がユーザに対して適切な向きとなるように表示させる表示方向変更処理を行うこととしている。
【００３８】
一方、第１載置状態と第２載置状態では、赤外線窓１９ａの向く方向が異なることになる。本実施形態のように筐体６１の裏面に赤外線窓１９ａを設けた場合、図５（Ａ）に示す第１載置状態では、赤外線照射方向ＩＲは、載置面Ａにほぼ平行な状態となり、カラオケ装置２に向けて適切に送信されると考えられる。しかし、図５（Ｂ）に示す第２載置状態では、赤外線照射方向ＩＲは、載置面Ａを向いた状態となり、カラオケ装置２に適切に送信されないことが考えられる。このように、第１載置状態では、特に第１支持部６２の設置角度が筐体６１と載置面Ａとの角度を規制し、赤外線照射方向ＩＲを決定する。また、第２載置状態では、特に第１支持部６２の長さが筐体６１と載置面Ａとの角度を規制し、赤外線照射方向ＩＲを決定する。
【００３９】
本実施形態では、このような事情を鑑みたものであって、対応付け処理において、赤外線照射方向ＩＲがカラオケ装置２を向くようにさせるものである。図６は、本実施形態のリモコン装置で実行される対応付け処理を示すフロー図である。リモコン装置１では、加速度センサ２０を使用した表示方向変更処理により、筐体６１の向く方向でタッチパネルモニター１１に表示される映像が正位置もしくは反転位置に変更される。リモコン装置１で対応付け処理が実行されると、タッチパネルモニター１１に表示される映像を正位置に規制し（Ｓ１０１）、表示方向変更禁止に設定、すなわち、表示方向規制処理を実行し表示方向変更処理が機能しない状態に設定する（Ｓ１０２）。
【００４０】
図７は、対応付け処理時におけるタッチパネルモニター１１の表示を示す図である。図７（Ａ）、図７（Ｂ）は、どちらもタッチパネルモニター１１に表示される映像が正位置となった状態であるが、図７（Ａ）は、第１載置状態においてユーザから見た画面の様子であり、図７（Ｂ）は、第２載置状態においてユーザから見た画面の様子である。第１載置状態では、ユーザに対して適切な方向の映像となっているが、第２載置状態では、ユーザに対して反転した映像となっていることが分かる。第２載置状態では、ユーザは使用し易いように、第１載置状態となるように筐体６１の向きを変更し、映像が適切な方向となるように使用することになる。特に、第１載置状態では、図５（Ａ）に示すように赤外線窓１９ａは、カラオケ装置２に対して適切な方向に向けられることが可能となる。
【００４１】
さらに本実施形態では、赤外線送信による対応付け要求を送信する際（Ｓ１０４）、加速度センサ２０で検知した重力方向が、タッチパネルモニター１１の下方向に一致していることを条件としている（Ｓ１０３：Ｙｅｓ）。このような条件を加えたことで、ユーザが筐体６１の赤外線窓１９ａを適切な方向に向けていることを確認し、赤外線送信を行うことを可能としている。対応付け要求についての赤外線送信（１０４）を終えると、表示方向変更禁止を解除し、加速度センサ２０の検知した筐体６１の姿勢により映像の向きを変更可能とする（Ｓ１０５）。そして、リモコン装置１は、ブロードキャストされたカラオケ装置２の識別情報を、ネットワーク通信部１６を使用して受信し（Ｓ１０６）、ＲＡＭ１４ｂ等の記憶部に記憶させる（Ｓ１０７）ことで、対応付け処理が完了する。
【００４２】
以上、説明したように本実施形態のリモコン装置１は、赤外線による通信を行う対応付け処理において、タッチパネルモニター１１に表示される映像の表示方向を規制することで、ユーザに特段意識させることなく赤外線窓１９ａが適切な方向を向くように促し、適切にカラオケ装置２との赤外線通信を行わせることを可能としている。
【００４３】
なお、リモコン装置１では、タッチパネルモニター１１に表示される映像の方向を規制する表示方向規制処理を、対応付け処理時に行うこととしたが、表示方向規制処理は、対応付け処理時に限られるものではなく、赤外線通信部１９を使用して通信を行う処理であれば他の処理についても行うことが可能である。例えば、リモコン装置１からカラオケ装置２に対して楽曲の予約情報を送信する選曲処理において行うこととしてもよい。
【００４４】
通常、選曲処理は、対応付けられているカラオケ装置２に対してネットワーク通信部１６を介して予約情報を送信する。しかしながら、何らかの事情により、リモコン装置１がネットワークと通信できない場合、赤外線通信部１９を介して予約情報を送信することで、万が一のときも楽曲を予約することを可能としている。
【００４５】
図８は、本実施形態のリモコン装置１で実行される選曲処理を示すフロー図である。リモコン装置１で実行される選曲処理では、歌手名、楽曲名に基づいて楽曲を検索し、歌唱する楽曲を選択することが可能である。楽曲が選択された場合（Ｓ２０１：Ｙｅｓ）、楽曲の詳細（楽曲名、歌手名、歌い出し等）を表示する楽曲確認画面が表示される（Ｓ２０２）。この楽曲確認画面には、予約ボタンが設けられており、ユーザがこの予約ボタンを操作した場合（Ｓ２０３：Ｙｅｓ）、リモコン装置１は、カラオケ装置２に対して、選択されている楽曲の楽曲識別情報を含んだ予約情報を送信する。
【００４６】
その場合、リモコン装置１は、ネットワーク通信部１６によるカラオケ装置２との通信を行うことができるかを確認する（Ｓ２０４）。ネットワーク通信部による通信接続が可能な場合（Ｓ２０４：Ｙｅｓ）つまり、対応付け処理が正常に実行された後である場合、リモコン装置１は、ネットワーク通信部１６を介してカラオケ装置２に予約情報を送信する（Ｓ２０５）。一方、ネットワーク通信部による通信接続ができない場合（Ｓ２０４：Ｎｏ）、リモコン装置１は、まず、タッチパネルモニター１１に表示される映像を正位置、すなわち、図５（Ａ）に示すような状態でタッチパネルモニター１１に表示される映像の方向が上となるように規制し（Ｓ２０６）、表示方向変更禁止に設定、すなわち、表示方向規制処理を実行し、表示方向変更処理が機能しない状態に設定する（Ｓ２０７）。
【００４７】
さらに本実施形態では、より的確に赤外線通信を実現するため、予約情報を送信する際、加速度センサ２０で検知した重力方向が、タッチパネルモニター１１の下方向に一致していることを条件としている（Ｓ２０８：Ｙｅｓ）。このような条件を加えたことで、ユーザが筐体６１の赤外線窓１９ａを適切な方向に向けている状態で、赤外線送信を行うことを可能としている。赤外線通信部１９を介した予約情報の送信（Ｓ２０９）を終えると、表示方向変更禁止を解除し、加速度センサ２０の検知した筐体６１の姿勢により映像の向きを変更可能とする表示方向変更処理が機能する状態とする（Ｓ２１０）。
【００４８】
このように、本実施形態では、カラオケ装置２に対して予約情報を送信する選曲処理時において、ネットワーク通信部１６によるカラオケ装置２との通信ができない場合、赤外線通信部１９を介して予約情報を送信することが可能となっている。特に、この赤外線通信部１９を使用して予約情報を送信する場合、表示方向規制処理を機能させることで、リモコン装置１の赤外線窓１６ａを適切な方向に向けさせた状態で赤外線通信を行うことを可能としている。
【００４９】
図２、図３、図５で説明した実施形態では、赤外線窓１９ａは、筐体６１の裏面、すなわち、タッチパネルモニター１１と反対側に設けることとしたが、赤外線窓１９ａは筐体６１の裏面のみならず、適宜箇所に設けることが可能である。図９は、他の実施形態のリモコン装置１の載置形態を示す側面図である。図５の実施形態では、筐体６１の裏面に赤外線窓１９ａを設けた形態を説明したが、本実施形態では筐体６１の側面であって、第１支持部６２Ｒ、６２Ｌに近い位置に設けた形態となっている。このような場合、図９（Ａ）に示す第１支持部６２Ｒ、６２Ｌ、第２支持部６３Ｒ、６３Ｌを使用して載置する場合が第１載置状態となり、表示位置規制処理では、この状態で表示される映像が上となる、すなわち、第１支持部６２Ｒ、６２Ｌに近い方が映像の上となるように、映像の方向が規制される。図９（Ａ）に示すように第１載置状態では、赤外線照射方向ＩＲが広い空間を向いた状態となっていることが分かる。
【００５０】
一方、リモコン装置１は、図９（Ｂ）に示すように、第１支持部６２Ｒ、６２Ｌを使用した起立する第２載置形態で載置することも可能である。この場合、赤外線窓１９ａは、載置面Ａを向いた状態となり、赤外線通信が困難となることが予想される。本実施液体では、前述の実施形態と同様、対応付け処理、あるいは、選曲処理等、赤外線通信部１９を使用して赤外線通信を行う所定の処理において、第１載置状態のように赤外線窓１９ａが広い空間を向いた状態とし、カラオケ装置２との赤外線通信を適切に行わせることを可能としている。
【符号の説明】
【００５１】
１：リモコン装置                     ２３：赤外線通信部
２：カラオケ装置                     ２４：ＬＡＮ通信部
５：サーバー装置                     ２５：音響制御部
１１：タッチパネルモニター           ２７：ＲＡＭ
１１ａ：表示部                       ２８：ビデオＲＡＭ
１１ｂ：タッチパネル                 ２９：映像再生部
１２：ビデオＲＡＭ                   ３０：ＣＰＵ
１３：映像制御部                     ３１：映像制御部
１４ａ：ＮＡＮＤ型記憶部             ３２：ハードディスク
１４ｂ：ＲＡＭ                       ３３：タッチパネルモニター
１５：ＣＰＵ                         ３４：タッチパネル
１６：ネットワーク通信部             ３５：表示部
１６ａ：赤外線窓                     ４１：モニター
１７：操作部                         ４２：スピーカー
１８：操作処理部                     ４３ａ、４３ｂ：マイクロホン
１９：赤外線通信部                   ６１：筐体
１９ａ：赤外線窓                     ６２Ｒ、６２Ｌ：第１支持部
２０：加速度センサ                   ６３Ｒ、６３Ｌ：第２支持部
２１：操作部                         ６５：ＬＥＤ
２２：操作処理部                     １３０：アクセスポイント
【図１】
2018106040.tif 000003
【図２】
2018106040.tif 000004
【図３】
2018106040.tif 000005
【図４】
2018106040.tif 000006
【図５】
2018106040.tif 000007
【図６】
2018106040.tif 000008
【図７】
2018106040.tif 000009
【図８】
2018106040.tif 000010
【図９】
2018106040.tif 000011